(57)【要約】      （修正有）【課題】スリッパを不快感なく清潔に使用することができるスリッパカバーを提供する。【解決手段】前部が開放されたスリッパ１１のボディ１３を着脱自在に被覆するカバーであって、足が乗せられるベース部３とゴム等の弾性体が付設された折返部５とからなる。ベース部３と折返部５とは一体の布状物からなり、ベース部３がスリッパ１１のボディ１３の表面全面を被覆してなる。スリッパカバー１は前端折返部５ａ、後端折返部５ｂをスリッパ１１の前後の端部に折り返すことにより装着する。スリッパカバー１は、スリッパ１１のボディ１３に着脱自在に被覆されて使用されるため、適宜に取り外して洗濯することができるので、スリッパ１１を不快感なく清潔な状態で使用することができる。またスリッパカバー１はスリッパ１１のボディ１３の表面全面を被覆するため、スリッパ１１が汚れ難く、スリッパ１１の手入れが容易となる効果がある。【選択図】図２
0003212225.tif 000002
【実用新案登録請求の範囲】
【請求項１】
前部が開放されたスリッパのボディを着脱自在に被覆するカバーであって、
上記ボディの表面全面を被覆するベース部と、該ベース部の前後の端部が延長されてなる折返部とからなり、
上記折返部にはゴム等の弾性体が付設され、
上記ベース部と上記折返部とが一体の布状物からなることを特徴とするスリッパカバー。
【請求項２】
請求項１記載のスリッパカバーにおいて、上記折返部にスリットを形成することを特徴とするスリッパカバー。
【請求項３】
請求項１又は請求項２記載のスリッパカバーにおいて、上記ベース部の全部が吸湿性素材からなることを特徴とするスリッパカバー。
【請求項４】
請求項１又は請求項２記載のスリッパカバーにおいて、上記ベース部の一部に吸湿性素材からなる吸湿部が設けられることを特徴とするスリッパカバー。
【考案の詳細な説明】
【技術分野】
【０００１】
本願考案はスリッパカバーに関し、さらに詳しくはスリッパを不快感なく清潔に使用することができるスリッパカバーに関する。
【背景技術】
【０００２】
日常的に履くスリッパは洗濯が困難であるため、長く履用すると不潔となり易く、また発汗のため不快となることが多い。
【０００３】
これらに対する従来の対処法は、スリッパを洗濯すると芯材が吸水し、これにより変形したり、毀損することがあるため、干したり、拭ったりするのがせいぜいであり、不快感を解消することや、清潔に使用することが困難であった。
【０００４】
またスリッパ用の中敷シートが提案されている。しかし、かかるシートでは前部が開放されたスリッパの場合、スリッパの使用中、シートがずれたり、脱落したりするリスクがあった。
【先行技術文献】
【特許文献】
【０００５】
【特許文献１】実用新案登録第３１４４１８６号公報
【考案の概要】
【考案が解決しようとする課題】
【０００６】
本願考案は上記背景に鑑み、スリッパを不快感なく清潔に使用することができるスリッパカバーを供することを目的とする。
【課題を解決するための手段】
【０００７】
本願考案によるスリッパカバーは、前部が開放されたスリッパのボディを着脱自在に被覆するカバーであって、上記ボディの表面全面を被覆するベース部と、該ベース部の前後の端部が延長されてなる折返部とからなり、上記折返部にはゴム等の弾性体が付設され、上記ベース部と上記折返部とが一体の布状物からなることを特徴とする。
また請求項１記載のスリッパカバーにおいて、上記折返部にスリットを形成することを特徴とする。
また請求項１又は請求項２記載のスリッパカバーにおいて、上記ベース部の全部が吸湿性素材からなることを特徴とする。
また請求項１又は請求項２記載のスリッパカバーにおいて、上記ベース部の一部に吸湿性素材からなる吸湿部が設けられることを特徴とする。
【考案の効果】
【０００８】
本願考案によるスリッパカバーは、スリッパのボディに着脱自在に被覆されて使用されるため、適宜に取り外して洗濯することができる。よって、洗濯が困難であったスリッパを不快感なく清潔な状態で使用することができる。またスリッパのボディの表面全面を被覆するため、スリッパが汚れ難く、スリッパの手入れが容易となる効果がある。
【０００９】
請求項２によるスリッパカバーによれば、請求項１記載のスリッパカバーにおいて、多種多様な形状のスリッパ１１に一層対応し易くなる効果がある。
【００１０】
請求項３によるスリッパカバーによれば、請求項１又は請求項２記載のスリッパカバーにおいて、ベース部の全部が吸湿性素材からなるため、足裏の発汗が除去されるので、スリッパ使用時の不快感の解消や清潔な状態での使用が一層向上する。
【００１１】
請求項４によるスリッパカバーによれば、請求項１又は請求項２記載のスリッパカバーにおいて、ベース部の一部に吸湿性素材からなる吸湿部が設けられるため、足裏の発汗し易い部位での湿気が除去されるので、スリッパ使用時の不快感の解消や清潔な状態での使用が一層向上する。
【図面の簡単な説明】
【００１２】
【図１】（Ａ）は本願考案によるスリッパカバーの実施の形態を示す平面図、（Ｂ）は（Ａ）の底面図、（Ｃ）は（Ａ）のＣ部の拡大断面図である。
【図２】（Ａ）は図１のスリッパカバーをスリッパに使用した状態の正面図、（Ｂ）は（Ａ）の平面図、（Ｃ）は（Ａ）のＣ部拡大断面図である。
【図３】本願考案によるスリッパカバーの他の実施の形態を示す底面図である。
【図４】本願考案によるスリッパカバーのさらに他の実施の形態を示す平面図である。
【考案を実施するための形態】
【００１３】
次に、本願考案によるスリッパカバーを図面に基づいてさらに詳しく説明する。なお、便宜上同一の機能を奏する部分には同一の符号を付してその説明を省略する。
【００１４】
図１は本願考案によるスリッパカバー１の実施の形態を示し、図２はその使用状態を示す。スリッパカバー１は足１５が乗せられるベース部３と、該ベース部３の前後の端部が延長され、ここに形成される前端折返部５ａ及び後端折返部５ｂを含む折返部５とからなる。上記ベース部３と上記折返部５とは一体の布状物からなり、周縁にはゴム等の弾性体６が付設される。本実施例では、布状物として綿及びポリエステルの混紡布を用いている。上記前端折返部５ａ及び上記後端折返部５ｂは同形に形成される。また前端折返部５ａ及び後端折返部５ｂは、両者の中間に形成される中間折返部５ｃより若干大に形成され、スリッパ１１の前端部及び後端部に折り返して装着することにより、スリッパカバー１をスリッパ１１に固定する。上記スリッパカバー１は、ベース部３がスリッパ１１のボディ１３の表面１３ａの全面を被覆するようスリッパ１１に被着される。この被着は上記のように前端折返部５ａ及び後端折返部５ｂがスリッパ１１の前端部及び後端部に折り返して装着されるので、スリッパカバー１が着脱自在となる。７は上記ベース部３の表面に縫着された綿等の吸湿性素材からなる吸湿部である。スリッパ１１は室内用スリッパであって、前部１１ａが開放されている。図中１２はスリッパ１１の甲被を表す。
【００１５】
スリッパカバー１の形状につき、図１及び図２に示すように、スリッパカバー１がスリッパ１１の外形状に厳密に対応していない形状であっても、前端折返部５ａ及び後端折返部５ｂがあることにより両者の形状の不一致を吸収するため、スリッパ１１のボディ１３の表面１３ａの全面を被覆することができる。よって、多種多様のスリッパ１１に適用することができる。
【００１６】
上記実施の形態によるスリッパカバー１によれば、スリッパ１１のボディ１３に着脱自在に被覆されて使用されるため、適宜に取り外して洗濯することができるので、スリッパ１１を不快感なく清潔な状態で使用することができる。また洗濯したスリッパカバー１の再利用をすることもでき、経済的である。
【００１７】
またスリッパカバー１はスリッパ１１のボディ１３の表面全面を被覆するため、スリッパ１が汚れ難く、スリッパ１の手入れが容易となる効果がある。
【００１８】
さらに、ベース部３の全面に吸湿性素材からなる吸湿部７を設けてあるため、足裏の発汗が除去されるので、スリッパ使用時の不快感の解消や清潔な状態での使用が一層向上する効果がある。
【００１９】
本願考案は上記した実施の形態に限定されない。例えば、図３に示すように、前端折返部５ａ及び／又は後端折返部５ｂに１本（図３）又は複数本のスリット８ａ、８ｂを入れれば、前部又は後部が幅広に形成されるスリッパ等多種多様な形状のスリッパ１１に一層対応し易くなる効果がある。また吸湿部は、図４に示すように、発汗し易い足裏の一部、例えばつま先側の部分７ａ又は／及び踵側の部分７ｂにのみ設けることができる。またスリッパカバー１の全部を綿等の吸湿性素材にて構成し、ベース部３兼吸湿部７及び折返部５を１枚の布地にて作製することもできる。さらにスリッパカバー１を構成する布状物は他の適宜素材を用いることを妨げない。
【産業上の利用可能性】
【００２０】
本願考案によるスリッパカバーはスリッパの清潔使用に活用することができる。
【符号の説明】
【００２１】
１      スリッパカバー
３      ベース部
５      折返部
５ａ    前端折返部
５ｂ    後端折返部
５ｃ    中間折返部
６      弾性体
７      吸湿部
７ａ    吸湿部
７ｂ    吸湿部
８ａ    スリット
８ｂ    スリット
１１    スリッパ
１１ａ  前部
１２    甲被
１３    ボディ
１５    足
【図１】
0003212225.tif 000003
【図２】
0003212225.tif 000004
【図３】
0003212225.tif 000005
【図４】
0003212225.tif 000006